(57)【要約】【課題】移動受信機や携帯受信機においても、可能な範囲内で将来のＥＰＧ情報を提供可能とする。【解決手段】デジタル放送などの受信機は、現在の放送番組に関する番組情報を取得する。その番組がシリーズ番組である場合、番組情報に基づいて、次回以降の放送日時などを示すＥＰＧ予測情報が作成され、必要に応じて受信機内に記憶される。ユーザがＥＰＧ情報の表示を指示すると、ＥＰＧ予測情報からＥＰＧ情報が作成され、受信機の表示部などに表示される。【選択図】　　　図１
2004080194.tif 000002
【特許請求の範囲】
【請求項１】
放送波の受信信号から、現在受信中の番組に関する番組情報を取得する番組情報取得手段と、
取得した番組情報に基づいて、周期的に放送される番組のＥＰＧ予測情報を作成するＥＰＧ予測情報作成手段と、
前記ＥＰＧ予測情報に基づいて、ＥＰＧ（Ｅｌｅｃｔｒｉｃ　Ｐｒｏｇｒａｍ　Ｇｕｉｄｅ）情報を表示部上に表示させる表示制御手段と、を備えることを特徴とするＥＰＧ予測情報作成装置。
【請求項２】
前記ＥＰＧ予測情報作成手段は、前記取得した番組情報に含まれる番組名情報、番組周期情報、番組回数情報及び放送時間情報に基づいて、前記ＥＰＧ予測情報を作成することを特徴とする請求項１に記載のＥＰＧ予測情報作成装置。
【請求項３】
前記ＥＰＧ予測情報作成手段は、前記番組周期情報及び前記放送時間情報に基づいて、前記番組名情報が示す番組の次回以降の放送予定日時を示すＥＰＧ予測情報を作成することを特徴とする請求項２に記載のＥＰＧ予測情報作成装置。
【請求項４】
前記ＥＰＧ予測情報作成手段は、前記番組回数情報に基づいて、前記番組名情報が示す番組の最終回までの放送予定日時を示すＥＰＧ予測情報を作成することを特徴とする請求項３に記載のＥＰＧ予測情報作成装置。
【請求項５】
前記ＥＰＧ予測情報作成手段は、前記取得した番組情報に含まれる放送者情報に基づいて、放送チャンネル毎に前記ＥＰＧ予測情報を作成することを特徴とする請求項１乃至４のいずれか一項に記載のＥＰＧ予測情報作成装置。
【請求項６】
前記ＥＰＧ予測情報を記憶する記憶手段をさらに備え、前記表示制御手段は前記記憶手段から前記ＥＰＧ予測情報を読み出し、ＥＰＧ情報を生成して前記表示部上に表示させることを特徴とする請求項１乃至５のいずれか一項に記載のＥＰＧ予測情報作成装置。
【請求項７】
請求項１乃至６のいずれか一項に記載のＥＰＧ予測情報作成装置を備える受信機。
【請求項８】
コンピュータにより実行可能なＥＰＧ予測情報作成プログラムであって、前記コンピュータを、
放送波の受信信号から、現在受信中の番組に関する番組情報を取得する番組情報取得手段、
取得した番組情報に基づいて、周期的に放送される番組のＥＰＧ予測情報を作成するＥＰＧ予測情報作成手段、
前記ＥＰＧ予測情報に基づいて、ＥＰＧ情報を表示部上に表示させる表示制御手段、として機能させることを特徴とするＥＰＧ予測情報作成プログラム。
【請求項９】
請求項８に記載のＥＰＧ予測情報作成プログラムを記憶したコンピュータにより読み取り可能な記憶媒体。
【請求項１０】
放送波の受信信号から、現在受信中の番組に関する番組情報を取得する番組情報取得工程と、
取得した番組情報に基づいて、周期的に放送される番組のＥＰＧ予測情報を作成するＥＰＧ予測情報作成工程と、
前記ＥＰＧ予測情報に基づいて、ＥＰＧ情報を表示部上に表示させる表示制御工程と、を有し、
前記ＥＰＧ予測情報作成工程は、前記取得した番組情報に含まれる番組名情報、番組周期情報、番組回数情報及び放送時間情報に基づいて、前記番組名情報が示す番組の次回以降の放送予定日時を示すＥＰＧ予測情報を作成することを特徴とするＥＰＧ予測情報作成方法。
【発明の詳細な説明】
【０００１】
【発明の属する技術分野】
本発明は、デジタル放送などの放送内容を示すＥＰＧ（Ｅｌｅｃｔｒｉｃ　Ｐｒｏｇｒａｍ　Ｇｕｉｄｅ）情報の作成に関する。
【０００２】
【従来の技術】
近い将来予定されている地上波デジタル放送では階層伝送方式が採用されており、放送されるデータは受信機の形態に応じて分類されている。これは、受信機の形態によって、表示画面サイズ、伝送容量及び速度、受信したデータの処理能力や記憶容量などが異なるためである。具体的には、受信機は、家庭などに設置される固定受信機と、車両などの移動体に搭載される移動受信機と、携帯電話などの携帯受信機に分類されている。従って、放送される番組情報を含むデータであるＥＩＴ（Ｅｖｅｎｔ＿Ｉｎｆｏｒｍａｔｉｏｎ＿Ｔａｂｌｅ）も、固定受信機用のＨ−ＥＩＴと、移動受信機用のＭ−ＥＩＴと、携帯受信機用のＬ−ＥＩＴに分けて伝送される。
【０００３】
【発明が解決しようとする課題】
地上波デジタル放送では、放送内容の情報である番組情報（ＥＰＧ情報）を送信することが予定されている。現在の予定では、固定受信機用のＨ−ＥＩＴには、受信当日以降８日分の番組情報がＥＰＧ情報として含められているので、固定受信機においては一週間先までの番組情報を電子情報として取得することができる。
【０００４】
しかし、移動受信機用のＭ−ＥＩＴ及び携帯受信機用のＬ−ＥＩＴでは、原則として受信中の番組及び次の番組のＥＰＧ情報のみが含められて放送される。よって、移動受信機及び携帯受信機では、数日先、一週間先といった将来の番組情報を含むＥＰＧ情報を受信機の表示部上に表示することはできない。本発明の解決しようとする課題としては、このようなものが一例として挙げられる。
【０００５】
本発明は、移動受信機や携帯受信機においても、可能な範囲内で将来のＥＰＧ情報を提供可能とすることを目的とする。
【０００６】
【課題を解決するための手段】
請求項１に記載の発明は、ＥＰＧ予測情報作成装置において、放送波の受信信号から、現在受信中の番組に関する番組情報を取得する番組情報取得手段と、取得した番組情報に基づいて、周期的に放送される番組のＥＰＧ予測情報を作成するＥＰＧ予測情報作成手段と、前記ＥＰＧ予測情報に基づいて、ＥＰＧ情報を表示部上に表示させる表示制御手段と、を備えることを特徴とする。
【０００７】
請求項８に記載の発明は、コンピュータにより実行可能なＥＰＧ予測情報作成プログラムであって、前記コンピュータを、放送波の受信信号から、現在受信中の番組に関する番組情報を取得する番組情報取得手段、取得した番組情報に基づいて、周期的に放送される番組のＥＰＧ予測情報を作成するＥＰＧ予測情報作成手段、前記ＥＰＧ予測情報に基づいて、ＥＰＧ情報を表示部上に表示させる表示制御手段、として機能させることを特徴とする。
【０００８】
請求項１０に記載の発明は、ＥＰＧ予測情報作成方法において、放送波の受信信号から、現在受信中の番組に関する番組情報を取得する番組情報取得工程と、取得した番組情報に基づいて、周期的に放送される番組のＥＰＧ予測情報を作成するＥＰＧ予測情報作成工程と、前記ＥＰＧ予測情報に基づいて、ＥＰＧ情報を表示部上に表示させる表示制御工程と、を有し、前記ＥＰＧ予測情報作成工程は、前記取得した番組情報に含まれる番組名情報、番組周期情報、番組回数情報及び放送時間情報に基づいて、前記番組名情報が示す番組の次回以降の放送予定日時を示すＥＰＧ予測情報を作成することを特徴とする。
【０００９】
【発明の実施の形態】
以下、本発明の好適な実施形態について説明する。図１は本発明の実施形態に係るＥＰＧ予測作成装置の概略構成を示す。
【００１０】
図１において、ＥＰＧ予測作成装置５０は、番組情報取得手段５１と、ＥＰＧ予測情報作成手段５２と、表示制御手段５３と、表示部５４と、記憶手段５５とを有する。
【００１１】
受信信号は、例えば地上波デジタル放送の受信信号とすることができ、番組情報を含んでいる。番組情報取得手段５１は、受信信号を受信し、受信信号中から番組情報を取得する。番組情報とは、例えば、放送中の番組に関する番組名情報、番組周期情報、番組回数情報及び放送時間情報、並びに放送者情報などを含むことができる。
【００１２】
ＥＰＧ予測情報作成手段５２は、番組情報に基づいて、周期的に放送される番組、即ち、いわゆるシリーズ番組について、次回の放送日時に関するＥＰＧ予測情報を生成する。ＥＰＧ予測情報は、具体的には、番組情報に含まれる番組名情報、番組周期情報、番組回数情報及び放送時間情報などから作成することができる。こうして作成されたＥＰＧ予測情報は、記憶手段５５に記憶しておくことができる。
【００１３】
表示制御手段５３は、ユーザからの指示などにより、ＥＰＧ予測情報に関するＥＰＧ情報を表示する場合には、ＥＰＧ予測情報作成手段５２又は記憶手段５５からＥＰＧ予測情報を取得し、それに基づいてＥＰＧ情報を作成して表示部５４に表示する。
【００１４】
こうして、シリーズ番組については、受信した番組についての番組情報に基づいて、次回以降の放送日時などを示すＥＰＧ予測情報を容易に作成し、ユーザに対して表示することが可能となる。
【００１５】
【実施例】
以下、図面を参照して本発明の好適な実施例について説明する。なお、本実施例は、地上波デジタル放送を受信する受信機に対して本発明を適用した例を示す。
【００１６】
［受信情報］
まず、本実施例の受信機において受信する情報の例について説明する。図２に、受信機より受信する情報の例を示す。図２において、受信情報１０は、放送局などから送信され、本実施例の受信機により受信される。受信情報１０は、各種の情報がパケットの形態で多重されて構成される。図２に示す例では、受信情報１０は、ＳＤＴ（Ｓｅｒｖｉｃｅ　Ｄｅｓｃｒｉｐｔｉｏｎ　Ｔａｂｌｅ）１１と、Ｍ−ＥＩＴ１２と、番組データ１３と、ＢＩＴ（Ｂｒｏａｄｃａｓｔｅｒ　Ｉｎｆｏｒｍａｔｉｏｎ　Ｔａｂｌｅ）１４と、を含んでいる。なお、地上波デジタル放送により受信機へ送信される情報中には図２に示す以外にも各種の情報が多重されているが、説明の便宜上、本実施例においては主としてＥＰＧ予測情報の生成に使用する情報のみを示している。
【００１７】
ＳＤＴは、デジタル放送において提供される各種の情報の有無や編成チャンネルに関する情報などを示しており、具体的にはＥＩＴの有無を示す情報（ＥＩＴ＿ｐｒｅｓｅｎｔ＿ｆｏｌｌｏｗｉｎｇ＿ｆｌａｇ）や、Ｍ−ＥＩＴの有無を示す情報（ＥＩＴ＿ｕｓｅｒ＿ｄｅｆｉｎｅｄ＿ｆｌａｇｓ）などを含んでいる。受信機は、ＳＤＴ中のこれらの情報を検出して、その受信機自身が処理可能な情報が送信されているか否かを判断する。
【００１８】
前述のように、デジタル放送による受信情報には、固定受信機用のＨ−ＥＩＴと、移動受信機用のＭ−ＥＩＴと、携帯受信機用のＬ−ＥＩＴがある。このうち、固定受信機用のＨ−ＥＩＴはもともと受信当日以降８日分の自局の番組情報を含んでいるので、固定受信機はＥＰＧ予測情報を作成する必要性はあまり高くない。一方、移動受信機用のＭ−ＥＩＴには、原則として自局の現在及び次の番組情報のみが含まれ、それ以上先の番組情報は含まれない。また、携帯受信機用のＬ−ＥＩＴについては、番組情報自体は含まれるが、シリーズ情報が含まれていないなど、情報量が少ない場合がある。
【００１９】
本実施例では、少なくとも自局の現在の番組情報を取得することができる移動受信機においてＥＰＧ予測情報を作成する。図２において、Ｍ−ＥＩＴ１２には、放送される番組に関連する情報として、シリーズ記述子１２ａ、開始時間１２ｂ及び番組時間１２ｃが含まれている。シリーズ記述子１２ａは、放送される番組のうち、周期性を有する放送番組についてのみ用意されている。周期性を有する番組とは、ある規則に従って定期的に放送される番組を指す。例えば、毎日決まった時間に放送されるニュース番組や、毎週特定の曜日の特定の時間帯に放送されるシリーズもののドラマなどが周期性を有する番組に含まれる。但し、実際にはシリーズ記述子１２ａを含めるか否かは放送事業者が決定する事項であるので、番組の放送自体に周期性があっても、シリーズ記述子１２ａが必ず含まれているとは限らない。その意味では、本発明では、Ｍ−ＥＩＴにシリーズ記述子１２ａが含まれている番組がシリーズ番組ということになる。
【００２０】
シリーズ記述子１２ａは、番組名情報として利用されるシリーズ番組名１２０ａ、番組周期情報として利用される番組編成パターン１２０ｂ、番組回数情報として利用される話数１２０ｃ及び最終回１２０ｄを含む。シリーズ記述子１２ａは前述のように周期性を有する番組に対して用意された情報であり、シリーズ番組名１２０ａはその番組のタイトルを示す。例えば、「○○時のニュース」、「月曜連続ドラマ」などの番組名がシリーズ番組名１２０ａとして含められている。
【００２１】
番組編成パターンは１２０ｂは、そのシリーズ番組の周期性のパターンを示す情報であり、例えば「毎日」、「毎週月曜日」、「土曜、日曜を除く毎日」など、その番組が繰り返し放送される周期性のパターンを示す。
【００２２】
話数１２０ｃは、その回の放送が全体の放送予定回数のうちの何回目に相当するかを示す情報である。例えば、ある日における特定のドラマが第３話であるとすれば、その放送内容に対応する話数１２０ｃは「３」を示している。
【００２３】
最終回１２０ｄは、その番組の合計放送予定回数を示す。例えば、毎週月曜日に放送されるドラマが合計１２話（即ち、１２回放送される）であれば、最終回１２０ｄは「１２」を示している。また、毎日放送されるニュースなどで合計放送回数が予め決定されていない場合には、最終回１２０ｄは省略することができる。
【００２４】
また、Ｍ−ＥＩＴ１２には、放送時間情報として利用される開始時間１２ｂ及び番組時間１２ｃが含まれている。開始時間１２ｂは当該番組の放送開始時間を示し、番組時間１２ｃは当該番組の放送される時間を示す。例えば、その番組が１時間番組であれば、番組時間１２ｃは「６０」となる。
【００２５】
番組データ１３は、放送される番組自体の映像及び音声データを含む。実際には、番組を構成する映像及び音声データが所定の圧縮符号化方式に従って圧縮符号化され、それにより得られるデータが番組データ１３として送信される。
【００２６】
ＢＩＴ１４は、その番組を提供する放送者に関する放送者情報として利用され、具体的には放送者を特定するブロードキャスターＩＤ１４ａを含む。ブロードキャスターＩＤ１４ａは、通常は放送者毎に決められるが、１つの放送者が複数のチャンネルで放送を行っている場合には、それらのチャンネルを区別するＩＤとなることもある。
【００２７】
以上の情報を利用することにより、ＥＰＧ予測装置は、特定の周期性を有する番組について、次回以降の放送予定日時を予測することができる。具体的には、ＥＰＧ予測装置は、ブロードキャスターＩＤ１４ａに基づいてその放送局又は放送チャンネルを特定することができる。また、シリーズ記述子１２０ａ中のシリーズ番組名１２０ａによりその番組名を特定することができ、番組編成パターン１２０ｂによりその番組の周期性パターンを得ることができる。また、話数１２０ｃ及び最終回１２０ｄにより、現在放送中の番組が全体の話数中の第何話に相当するかを特定することができる。これらの情報に基づいて、その番組が次に放送される日時を予測することが可能となる。なお、具体的な予測例については後述する。
【００２８】
［受信機］
次に、本実施形態に係る受信機の構成について説明する。図３は、本実施例に係る受信機１の概略構成を示すブロック図である。図３において、受信機１は、チューナ部１１と、分離部１２と、オーディオ復調部１３と、ビデオ復調部１４と、合成部１５と、データ復調部１７と、制御部１９と、オーディオプロセッサ３０と、スピーカ３１と、ビデオプロセッサ３２と、表示部３３と、入力部３５とを備える。
【００２９】
また、制御部１６は、番組情報取得手段として機能する番組情報取得部１８と、表示制御手段として機能するＥＰＧ作成部１９と、ＥＰＧ予測情報作成手段として機能するＥＰＧ予測部２１と、記憶手段として機能するメモリ部２２とを備える。なお、制御部１６に含まれるメモリ部２２は例えばＲＡＭなどの書き換え可能な記憶媒体により実現される。また、番組情報取得部１８、ＥＰＧ作成部１９及びＥＰＧ予測部２１は、ＣＰＵなどが予め用意されたプログラムを実行することにより実現される。
【００３０】
チューナ部１１は、地上波デジタル放送などの複数の搬送波（キャリア）を含むマルチキャリア信号を受信し、特定のチャンネルに対応する搬送波のみを抽出するための同調処理を行い、そのチャンネルの受信信号を分離部１２へ供給する。チューナ部１１から出力される受信信号は、例えばＭＰＥＧ２方式によりオーディオデータ、ビデオデータ及び必要な制御データなどが多重されたＭＰＥＧ２多重信号となる。このＭＰＥＧ２多重信号には、放送される番組についての番組情報が含まれている。
【００３１】
分離部１２は、チューナ部１１から入力されたＭＰＥＧ２多重信号から、各信号を取り出す。具体的には、分離部１２は、ＭＰＥＧ２多重信号から、オーディオデータを分離してオーディオ復調部１３へ供給し、ビデオデータを分離してビデオ復調部１４へ供給し、再生制御データなどを含む制御データを分離してデータ復調部１７へ供給し、番組情報に関するデータを抽出して、番組情報取得部１８へ供給する。
【００３２】
オーディオ復調部１４はオーディオデータを復調し、オーディオプロセッサ３０へ供給する。オーディオプロセッサ３０は、オーディオデータに対して所定の処理を施して、スピーカ３１からオーディオ出力を行う。また、ビデオ復調部１４はビデオデータを復調して合成部１５へ供給する。合成部１５は、ビデオデータに、必要に応じてＥＰＧ情報を合成してビデオプロセッサ３２へ供給する。ビデオプロセッサ３２は、ビデオデータに必要な処理を行って、表示部３３上に表示する。
【００３３】
データ復調部１７は、データ放送による情報を復調する。データ放送による情報は、放送される番組の映像に関連する文字情報などを含み、例えば野球中継などで画面上に表示される選手の情報などがこれに該当する。
【００３４】
番組情報取得部１８は、現在放送中の番組についての番組情報を取得し、ＥＰＧ作成部１９及びＥＰＧ予測部２１へ供給する。なお、本明細書では、番組の放送日時などに関連する情報を「番組情報」と呼び、番組情報に基づいて作成されたＥＰＧ表示用の情報を「ＥＰＧ情報」と呼ぶ。ＥＰＧ作成部１９は、番組情報に基づいてＥＰＧ表示用のＥＰＧ情報を生成し、合成部１５へ供給する。合成部１５は、ビデオ復調部１４から供給されたビデオデータに、必要に応じてＥＰＧ情報を合成して映像信号として出力する。従って、ＥＰＧ情報が合成された状態では、受信機１の表示部３３上には、ビデオ信号に加えてＥＰＧが表示される。こうして、受信機１を使用するユーザは、現在受信中の番組に関する番組情報を、受信機１の表示部３３上にＥＰＧの形態で表示させることができる。なお、ＥＰＧを表示するか否かの指令はユーザが入力部３５から入力し、これに基づいて合成部１５がＥＰＧ情報をビデオデータに合成するか否かを切り換える。
【００３５】
また、番組情報取得部１８は、番組情報をＥＰＧ予測部２１にも供給する。ＥＰＧ予測部２１は、受け取った番組情報に基づいて、その番組がシリーズ番組である場合に、次回以降の放送予定日時などを予測し、ＥＰＧ予測情報としてメモリ部２２に記憶する。ＥＰＧ作成部１９は、ユーザが入力部３５によりＥＰＧの表示指示を入力すると、メモリ部２２内に記憶されているＥＰＧ予測情報に基づいてＥＰＧ情報を生成し、合成部１５へ出力する。合成部１５は、このＥＰＧ情報をビデオデータと合成して表示部３３上に表示する。
【００３６】
［ＥＰＧ予測例］
次に、本実施例におけるＥＰＧ予測及びＥＰＧ表示例について図４（ａ）〜（ｃ）を参照して説明する。図４においては、４月１日（月）から４月８日（月）までの一週間のＥＰＧ表示例が示されている。図４（ａ）は、ＥＰＧ予測を行わない場合に、ユーザが受信機１を使用して４月１日（月）の７時から１０時まで放送を受信した際のＥＰＧ表示例を示している。
【００３７】
ここで、各番組の番組情報は以下の通りとする。
【００３８】
・ニュース：毎日７：００〜８：００
・月曜ドラマ：毎週月曜８：００〜９：００
・バラエティ：毎週月曜・火曜１０：００〜１１：００
前述のように、本実施例の受信機１は移動受信機又はＭ−ＥＩＴを取得可能な携帯受信機であり、Ｍ−ＥＩＴを受信して、自局の現在及び次の番組の番組情報のみを取得することができる。なお、Ｍ−ＥＩＴでは次の番組の番組情報は、現在の番組情報とは異なり、シリーズ記述子などの詳細な情報が含まれない場合があるので、本実施例では、受信機１は現在の番組情報のみを取得できるものとする。従って、ＥＰＧ予測を行わない場合、図４（ａ）に示すように、ＥＰＧ表示は受信中の番組情報のみを含むことになる。
【００３９】
ユーザが受信機１により、４月１日（月）の７時〜１０時まで特定のチャンネル（図４の例では、「Ｐｉｏ−ＴＶ」）を受信すると、受信機１は図４（ａ）に示すように受信した時間帯における番組情報を取得し、ＥＰＧ表示することができる。この状態では、４月２日以降の番組情報は無いので、図４（ａ）においては、４月２日以降のＥＰＧ表示例には何も表示されていない。
【００４０】
次に、本実施例のＥＰＧ予測部２１によりＥＰＧ予測を行った場合の例を図４（ｂ）及び（ｃ）に示す。
【００４１】
具体的には、まず、受信機１によりユーザが「ニュース」を視聴すると、制御部１６はＭ−ＥＩＴ１２からシリーズ記述子１２ａを取得し、シリーズ番組名１２０ａ（「ニュース」）、番組編成パターン１２０ｂ（「毎日」）を取得する。また、制御部１６はＭ−ＥＩＴから開始時間１２ｂ（「７：００」）及び番組時間１２ｃ（「１時間」）を取得する。さらに、制御部１６はＢＩＴ１４からブロードキャスターＩＤを取得することにより、放送局名又はチャンネル名（「Ｐｉｏ−ＴＶ」）を取得する。こうして、制御部１６は、番組「ニュース」が毎週７：００〜８：００に放送されるシリーズ番組であることを知る。
【００４２】
そして、ＥＰＧ予測部２１は、これらの番組情報に基づいて、ＥＰＧ予測情報を作成する。具体的には、４月２日（火）以降の毎日７：００〜８：００の時間帯に番組「ニュース」を設定する。こうして作成されたＥＰＧ予測情報はメモリ２２に記憶され、ユーザが表示指示を入力すると、ＥＰＧ作成部１９が図４（ｂ）に例示するＥＰＧ表示画面を作成する。こうして、本実施例の受信機１では、ユーザが番組「ニュース」を視聴すると、図４に（ｂ）に対応するＥＰＧ予測がなされる。
【００４３】
その後、ユーザが同一の放送局を視聴し続けると、受信機１の制御部１６は番組「月曜ドラマ」及び「バラエティ」の番組情報を順に取得して次回以降の放送日時を予測し、ユーザの表示指示に応じて図４（ｃ）に示すようにＥＰＧ画面を表示する。
【００４４】
［ＥＰＧ予測処理］
次に、本実施例によるＥＰＧ予測処理の流れについて説明する。図５は、ＥＰＧ予測処理のフローチャートである。このＥＰＧ予測処理は、図３に示す制御部１６内の各要素により実行される。なお、これは実際には制御部１６を構成するＣＰＵなどが予め用意されたＥＰＧ予測プログラムを実行することにより実現される。
【００４５】
まず、ユーザが受信機１を使用して所定の放送局の番組を視聴すると（ステップＳ２０）、制御部１６内の番組情報取得部１８は受信信号中のＳＤＴを参照し（ステップＳ２１）、受信信号中にＭ−ＥＩＴが含まれているか否かを判定する（ステップＳ２２）。Ｍ−ＥＩＴが含まれていない場合、制御部１６は番組情報を取得することができないので、処理はステップＳ２０へ戻る。
【００４６】
一方、受信信号中にＭ−ＥＩＴが含まれている場合、制御部１６は受信中の番組がシリーズ番組であるか否かを判定する（ステップＳ１２ａ）。この判定は、Ｍ−ＥＩＴ中にシリーズ記述子が含まれているか否かを判定することにより行うことができる。
【００４７】
受信中の番組がシリーズ番組である場合、制御部はＭ−ＥＩＴ中のシリーズ記述子１２ａ、開始時間１２ｂ、番組時間１２ｃ、並びにＢＩＴ１４中のブロードキャスターＩＤ１４ａなどを参照して、番組情報を取得する（ステップＳ２４）。
【００４８】
そして、制御部１６は取得した番組情報に基づいてＥＰＧ予測を行い（ステップＳ２５）、ＥＰＧ予測情報をメモリ部２２に記憶する（ステップＳ２６）。こうして、ユーザが特定のシリーズ番組を視聴するたびに、次回以降のＥＰＧ予測情報が生成され、メモリ部２２内に保存されていく。
【００４９】
その後、ユーザがＥＰＧ表示を指示すると（ステップＳ２７）、制御部１６内にＥＰＧ作成部１９が、メモリ部２２内に記憶されていたＥＰＧ予測情報を利用してＥＰＧ表示画面を作成し、受信機１の表示部３３上に表示する（ステップＳ２８）。
【００５０】
以上のように、本実施例では、放送波の受信信号から現在受信中の番組に関する番組情報を取得する番組情報取得部と、取得した番組情報に基づいて、周期的に放送される番組のＥＰＧ予測情報を作成するＥＰＧ予測部と、前記ＥＰＧ予測情報に基づいてＥＰＧ情報を表示部上に表示させる表示制御手段と、を備えるので、受信中の番組情報のみが送信されている場合であっても、可能な範囲で将来の番組情報を提供することができる。
【図面の簡単な説明】
【図１】本発明の実施形態に係るＥＰＧ予測情報作成装置の概略構成を示す図である。
【図２】受信信号のデータ構造例を示す。
【図３】本実施例に係る受信機の概略構成を示すブロック図である。
【図４】本実施例の受信機によるＥＰＧ予測及びＥＰＧ表示例を示す。
【図５】ＥＰＧ予測処理のフローチャートである。
【符号の説明】
１　受信機
１０　受信信号
１１　チューナ部
１２　分離部
１３　オーディオ復調部
１４　ビデオ復調部
１５　合成部
１７　データ復調部
１８　番組情報取得部
１９　ＥＰＧ作成部
２１　ＥＰＧ予測部
２２　メモリ部
３０　オーディオプロセッサ
３１　スピーカ
３２　ビデオプロセッサ
３３　表示部
３５　入力部
【図１】
2004080194.tif 000003
【図２】
2004080194.tif 000004
【図３】
2004080194.tif 000005
【図４】
2004080194.tif 000006
【図５】
2004080194.tif 000007